(57)【要約】【課題】  煙草を箱から取り出すときに再生スイッチがＯＮになり、禁煙するように呼びかけて禁煙させることを目的とした、煙草の箱と組み合わせて使用する音声録音再生機能付カードを提供する。【解決手段】  音声録音再生機能付カードと煙草の箱と、組み合わせて使用することを保持できるように、Ｕ字状に折曲されて形成された線材に、横幅を維持するための補強材を設けて、凸部を有した開閉できる蓋を開閉できるように接続して、開閉できる蓋の凸部の箇所とは反対の方向の箇所に係合部を設けて、蓋が閉まって係合部が保持具にあたる箇所にも係合相手部を設けて、蓋が保持具にロックされる構成を有する保持具を形成して、音声録音再生機能付カードの上部の両端部に固定して設けたものである。【選択図】図４
2010061630.tif 000002
【特許請求の範囲】
【請求項１】
カード状の薄板状部材に、音声情報を記憶し且つ記憶された音声情報を再生するための音声録音再生機能モジュールが設けられ、前記音声録音再生機能モジュールの録音スイッチに対向して録音スイッチ表示部が形成された前記カード状の薄板状部材の上部に、再生スイッチを設けたことを特徴とする音声録音再生機能付カード。
【請求項２】
音声録音再生機能付カードの上部に蓋支持部材を設けて、開閉できる蓋を前記蓋支持部材に開閉できるように接続して設けたことを特徴とする請求項１記載の音声録音再生機能付カード。
【請求項３】
凸部を有した開閉できる蓋を設けた保持具を、音声録音再生機能付カードの上部に設けたことを特徴とする請求項１記載の音声録音再生機能付カード。
【請求項４】
光センサによる光検出で、音声録音再生機能部からの信号を音声に変換させて再生を制御する光検出機能を音声録音再生機能モジュールに加えて、コードにより接続されている前記光センサを設けたことを特徴とする請求項１記載の音声録音再生機能付カード。
【請求項５】
音声録音再生機能付カードの上部の両端部から、音声録音再生機能付カード面に沿うように形成されたカード保持具を設けたことを特長とする請求項１乃至４の何れか一項に記載の音声録音再生機能付カード。
【発明の詳細な説明】
【技術分野】
【０００１】  本発明は、煙草を吸おうとして煙草を取り出すと、メッセージが聞こえてくるように構成された、煙草の箱と組み合わせて使用するための、音声録音再生機能付カードに関するものである。
【背景技術】
【０００２】  ソフトパック煙草やヒンジ蓋付パック煙草の箱と、音声録音再生機能を備えたものと組み合わせて使用しているものは見あたらない。【０００３】  しかし、実開昭６４−０４２６００号公報には、音声の録音、再生用ＩＣ、マイク、スピーカ、録音再生用スイッチおよび電源電池をプラスチック等で形成したカードにそれぞれ内蔵したことを特徴とするカード型録音再生装置が開示されている（例えば、特許文献１を参照）。【０００４】  また、配送伝票に届け先への音声情報を記録し且つ記録された音声情報を再生するための音声機能モジュールが設けられ、音声機能モジュールの録音スイッチに対向して録音スイッチ表示部が形成されている音声機能付配送伝票が開示されている（例えば、特許文献２を参照）。【０００５】
【特許文献１】実開昭６４−０４２６００号公報
【特許文献２】特許３７８２０２２号公報
【発明の開示】
【発明が解決しようとする課題】
【０００６】  従来、禁煙しようと色々な禁煙方法に挑戦してきた人々が多くいるが、簡単に喫煙を止めることが出来なくて、途中で挫折をしてしまう人々が多数であった。さらに近年、家庭や職場などでの環境問題も大きくなり、喫煙者は疎外されており、できるならば禁煙したいと思っている人が多くなってきている。【０００７】  そこでこの発明は、健康面からも環境面からも害のある煙草を、喫煙者が今から吸おうと煙草の蓋を開けたそのときに、音声録音再生機能付装置のスイッチが入り作動して、喫煙者の大切な人の声を聞かせて禁煙するように精神面に呼びかけて、禁煙させることを目的としており、煙草の箱に取り付けることができて、カッターシャツなどの胸ポケットに納めることのできる音声録音再生機能付カードを提供することを課題とする。
【課題を解決するための手段】
【０００８】  上記目的を解決するために請求項１記載の発明は、カード状の薄板状部材に音声録音再生機能部とスピーカとマイクロホンと電源電池と音声録音再生機能部に音声を記憶させる録音スイッチと再生スイッチを備えて音声録音再生機能モジュールが設けられ、録音スイッチには表示部が形成され、再生スイッチのＯＮ及びＯＦＦに連動して音声録音再生機能部からの信号を音声に変換させて、再生を制御する再生スイッチをカード状の薄板状部材の上部の端部に設けたことを特徴とする音声録音再生機能付カードである。【０００９】  請求項２記載の発明は、音声録音再生機能付カードの上部に蓋支持部材を設けて、開閉できる蓋が有する接続部にて、開閉できる蓋が蓋支持部材に接続されたことを特徴とする音声録音再生機能付カードである。開閉できる蓋は、再生スイッチをＯＮ及びＯＦＦすることができる凸部を有していて、蓋を開くと再生スイッチがＯＮとなり、蓋が閉まると再生スイッチがＯＦＦになるように形成されている。【００１０】  請求項３記載の発明は、音声録音再生機能付カードと煙草の箱と、組み合わせて使用することを保持できるように、Ｕ字状に折曲されて形成された線材に、横幅を維持するための補強材を設けて、音声録音再生機能付カードの再生スイッチを配置した箇所の上にあたる補強材の箇所に接続部を設けて、蓋が開くと蓋が有する凸部により再生スイッチを押さえてＯＮになり、蓋を閉めて凸部が再生スイッチから離れるとＯＦＦになるように、凸部を有した開閉できる蓋を開閉できるように接続して、安定して閉まるように蓋の補強材を設けて、開閉できる蓋の凸部の箇所とは反対の方向の箇所に係合部を設けて、蓋が閉まって係合部が保持具にあたる箇所にも係合相手部を設けて蓋が保持具にロックされる構成を有する保持具を形成して、音声録音再生機能付カードの上部の両端部に固定して設けたことを特徴とする【００１１】  請求項４記載の発明は、請求項１記載の発明の、カード状の薄板状部材に音声録音再生機能部とスピーカとマイクロホンと電源電池と音声録音再生機能部に音声を記憶させる録音スイッチと再生スイッチを備えて設けられた音声録音再生機能モジュールに、さらに光センサによる光検出で音声録音再生機能部からの信号を音声に変換させて、再生を制御する光検出機能を設けて、コードにより接続されている光センサを音声録音再生機能付カードに設けたことを特徴とする。【００１２】  請求項５記載の発明は、音声録音再生機能付カードを、煙草の箱の外部包装と外部包装体の間に挿入することができないときに、音声録音再生機能付カードと煙草の箱を保持できるように、線材を音声録音再生機能付カードの上部の両端部に設けて固定して、下部にかけて音声録音再生機能付カードに沿って伸ばして、カード保持具の先端を最下点としたＵ字状に折曲されて形成されたカード保持具であり、煙草の箱の外部包装と外部包装体の間に挿入することができない音声録音再生機能付カードは、煙草の箱の外部包装の外側に出して置き、音声録音再生機能付カードに沿って形成されたカード保持具を、煙草の箱の外部包装と外部包装体の間に挿入して、音声録音再生機能付カードを安定させることができるように構成された、音声録音再生機��付カードに沿って形成されたカード保持具を音声録音再生機能付カードに設けたことを特徴とする。
【発明の効果】
【００１３】  本発明品によれば、煙草を吸おうとして開閉できる蓋を開けたり、ヒンジ蓋付パック煙草の蓋を開けたりしたそのとき、録音して記録された音声情報を再生するための、再生のスイッチがＯＮになって、記録された音声情報が再生されて、メッセージが聞えてくるので、そのメッセージを聞いて煙草を止めようかと考えるようになり、禁煙を始める原因となるのである。【００１４】  喫煙者が親の場合は、煙草を吸おうとする瞬間に、愛するわが子の声でパパ身体を大切にしてなどと心配して注意をしてくれる声を聞くと、愛するわが子がこれほど言うのなら煙草を止めようという考えになり、禁煙を始めるきっかけとなるのである。【００１５】  喫煙者が祖父母の場合は、煙草を吸おうとする瞬間に、可愛くてしかたのない孫の声で祖父ちゃん祖母ちゃん煙草を止めてと言われれば、可愛い孫の為にも煙草を止めなければならないと思い禁煙が始まるのである。
【発明を実施するための最良の形態】
【００１６】  以下では、この発明の実施形態を図面に基づいて説明する。なお、この実施の形態によって本発明が限定されるものではない。【００１７】  図１は、音声録音再生機能付カード１の主要部の内部構成を概略的に示す公知の音声録音再生機能モジュール８のブロック図であり、電源電池５と音声録音開始信号を出力する録音スイッチ６と、再生開始信号を出力する再生スイッチ７と、音声を音声信号として入力する録音用のマイクロホン３と、その音声信号を音声録音再生機能部２に格納して、格納した音声信号を音声として再生するスピーカ４を備えて音声録音再生機能部２に接続されている。【００１８】  図２は、この発明の第一実施形態を表す図であり、カード状の薄板状部材に音声録音再生機能部２とスピーカ４とマイクロホン３と電源電池５と音声録音再生機能部２に音声を記憶させる録音スイッチ６と再生スイッチ７を備えて音声録音再生機能モジュール８が設けられ、録音スイッチ６には表示部が形成され、再生スイッチ７のＯＮ及びＯＦＦに連動して音声録音再生機能部２からの信号を音声に変換させて、再生を制御する再生スイッチ７を、カード状の薄板状部材の上部の端部に設けたことを特徴とする音声録音再生機能付カード１であり、第一実施形態の斜視図である。【００１９】  なお、本発明において、再生スイッチ７を設けた位置は音声録音再生機能付カード１の上面又は上部であれば左中右どちらでも位置にこだわらない。音声録音再生機能付カード１の上面又は上部とは、音声録音再生機能付カード１を煙草の箱と組み合わせて使用するときの立てた状態での上面及び上部である。【００２０】  図３は、この発明の第二実施形態を表す図であり、音声録音再生機能付カード１の上部に蓋支持部材１３を設けて、凸部１５を有する開閉できる蓋１４を接続部１６で蓋支持部材１３と開閉できるように接続し、煙草１０を取り出すためには開閉できる蓋１４を開けなければならず、開閉できる蓋１４を開けると、凸部１５が再生スイッチ７を押してＯＮになり記憶された音声情報を再生して、スピーカ４から聞こえてきて注意を促がし、開閉できる蓋１４を閉じると凸部１５が再生スイッチ７から離れて、再生スイッチ７をＯＦＦにすることを特徴とする音声録音再生機能付カード１であり、第二実施形態の斜視図である。【００２１】  開閉できる蓋１４の凸部１５の位置は、再生スイッチ７の配置の上の位置に当たり、開閉できる蓋１４は、ソフトパック煙草９の箱にできた煙草取り出し口を覆って蓋をしているので、開閉できる蓋１４を開けなければ、煙草１０を取り出すことはできない。【００２２】  図４は、本発明の保持具１７を設けた音声録音再生機能付カード１の第三実施形態を表す斜視図であり、音声録音再生機能付カード１と煙草の箱と、組み合わせて使用することを保持できるように、Ｕ字状に折曲されて形成された線材に、横幅を維持するための補強材１８を設けて、音声録音再生機能付カード１の再生スイッチ７を配置した箇所の上にあたる補強材１８の箇所に、再生スイッチ７をＯＮ及びＯＦＦすることができる凸部１５を有する開閉できる蓋１４を接続して、安定して閉まるように蓋の補強材２５を設けて、開閉できる蓋１４の凸部１５の箇所とは反対の方���の箇所に係合部１９を設けて、蓋が閉まって係合部１９があたる箇所にも係合相手部２０を設けて、蓋が保持具１７にロックされる構成を有する保持具１７を形成して、音声録音再生機能付カード１の上部の両端部に固定して設けたところの斜視図である。【００２３】  煙草１０を取り出すために開閉できる蓋１４を開けると、凸部１５が再生スイッチ７を押してＯＮになり記憶された音声情報を再生するので、例えばパパ煙草を止めてとメッセージを録音しておけば、パパ煙草を止めてとスピーカ４から聞こえて注意を促がし、そのメッセージを聞いたパパは、煙草１０を止めようという気持ちになるのである。開閉できる蓋１４を閉じると凸部１５が再生スイッチ７から離れて、再生スイッチ７をＯＦＦにすることを特徴とする音声録音再生機能付カード１である。【００２４】  また、保持具１７とカード保持具２１を、音声録音再生機能付カード１の上部に設けて固定する箇所は、一箇所でも複数箇所でも良いが、音声録音再生機能付カード１の上部の両端部の二箇所であれば良くて、保持具１７とカード保持具２１を音声録音再生機能付カード１に設けて固定する位置は、音声録音再生機能付カード１の上部又は上面又は側面の上部であれば良い。【００２５】  図５は、本発明の保持具１７を設けた音声録音再生機能付カード１をソフトパック煙草９の箱に組み合わせたところの斜視図であり、図４の保持具１７を設けた音声録音再生機能付カード１をソフトパック煙草９の箱に組み合わせたところを反対方向から見た斜視図である。【００２６】  ソフトパック煙草９は使用開始に当たっては、内部包装材の錫箔や紙などの折り曲げられた上部縁部の副区域は、手で分離することにより除去され、ソフトパック煙草９の箱の外部包装体１２の上部縁部壁に煙草１０の取り出し口が形成される。保持具１７を設けた音声録音再生機能付カード１を、煙草の箱の外部包装１１と外部包装体１２の間に挿入して、線材を音声録音再生機能付カード１の上部の両端部に設けて固定して、煙草の箱の上部を通り煙草の箱の正反対の面まで伸ばしてＵ字状に折曲されて形成され、煙草１０の取り出し口の上部に開閉できる蓋１４が重なるように形成されており、開閉できる蓋１４を開けると煙草１０が取り出せるのであり、さらにＵ字状に折曲されて形成された保持具の先端２４を、煙草の箱の外部包装１１と外部包装体１２の間に挿入すると、煙草の箱を挟み込む形となり、音声録音再生機能付カード１と煙草の箱の組み合わせが安定する。煙草１０を吸おうと開閉できる蓋１４を開けると凸部１５が再生スイッチ７を押して、録音されたメッセージが再生されてスピーカ４から聞こえて注意を促がし、開閉できる蓋１４を閉じると凸部１５が再生スイッチ７から離れて、再生スイッチ７をＯＦＦにすることを特徴とする保持具１７を設けた音声録音再生機能付カード１である。【００２７】  図６は、コード２３により接続された光センサ２２を音声録音再生機能付カード１の上部の上面に設けたところの斜視図であり、請求項１記載の発明の、カード状の薄板状部材に音声録音再生機能部２とスピーカ４とマイクロホン３と電源電池５と音声録音再生機能部２に音声を記憶させる録音スイッチ６と再生スイッチ７を備えて設けられた音声録音再生機能モジュール８に、さらに光センサ２２による光検出で音声録音再生機能部２からの信号を音声に変換させて再生を制御する光検出機能を設けて、コード２３により接続されている光センサ２２を音声録音再生機能付カード１に設けたことを特徴とする。【００２８】  光センサ２２には、ヒンジ蓋付パック煙草の箱や携帯する煙草のケースの内側に貼り付けることができる、剥離紙を有した粘着テープ２６が設けられており、光センサ２２の裏面を図示している。粘着テープ２６が有する剥離紙を剥がして光センサ２２を、煙草の箱の内側や煙草のケースの内側に貼り付けて使用するのであり、煙草１０を吸おうとして箱の蓋を開けると、開けたところから光が入り、光センサ２２がその光を検出して再生スイッチ７がＯＮになり、音声録音再生機能部２からの信号を音声に変換させて、記憶された音声情報を再生するので、例えば、祖父ちゃん煙草を止めてねと孫からのメッセージを録音しておけば、祖父ちゃん煙草を止めてねとスピーカ４から聞こえて注意を促がすので、そのメッセージを聞いた祖父ちゃんは、可愛い孫が言うのなら煙草１０を止めようという気持ちになるのである。【００２９】  また、図示しないが、携帯する煙草のケースの内側もしくは外側に  請求項４の光センサ２２による光検出で、音声録音再生機能部２からの信号を音声に変換させて再生を制御する光検出機能を音声録音再生機能モジュール８に加えて、コード２３により接続されている光センサ２２を設けた音声録音再生機能付カード１を設けても良い。【００３０】  図７は、カード保持具２１を音声録音再生機能付カード１に設けたところの斜視図であり、音声録音再生機能付カード１を、煙草の箱の外部包装１１と外部包装体１２の間に挿入できないときに、音声録音再生機能付カード１と煙草の箱を保持できるように、線材を音声録音再生機能付カード１の上部の両端部に設けて固定し、下部にかけて音声録音再生機能付カード１に沿って伸ばして、線材の保持具の先端２４を最下点としたＵ字状に折曲されて形成されたカード保持具２１であり、煙草の箱の外部包装１１と外部包装体１２の間に挿入できない音声録音再生機能付カード１は、煙草の箱の外部包装１１の外側に出して置き、音声録音再生機能付カード１に沿って形成されたカード保持具２１を、煙草の箱の外部包装１１と外部包装体１２の間に挿入して、音声録音再生機能付カード１を安定させることができるように構成された、音声録音再生機能付カード１に沿って形成されたカード保持具２１を設けたことを特徴とする音声録音再生機能付カード１であり、煙草の箱に満杯に煙草１０が入っていて外部包装１１と外部包装体１２の間に隙間が少ししかないときでも、本発明の音声録音再生機能付カード１に沿って形成されたカード保持具２１を外部包装１１と外部包装体１２の間に挿入して、音声録音再生機能付カード１を安定させることができる。【００３１】  またカード保持具２１を設ける箇所は、音声録音再生機能付カード１の上部の両端部又は上面の両端部に固定して設けて良いが、音声録音再生機能付カード１の側面上部の両端部に設けて固定して、下部にかけて音声録音再生機能付カード１に沿って伸ばして、線材の保持具の先��２４を最下点としたＵ字状に折曲されて形成されたカード保持具２１でも良い。また、折曲されて形成された形はＵ字状にこだわることはなく角型状でも丸型状でも良い。【００３２】  カード保持具２１の大きさは、煙草の箱の外部包装１１と外部包装体１２の間に挿入できる大きさであれば良い。【００３３】  また本発明の、音声録音再生機能付カード１は、録音のスイッチ表示部があり録音スイッチ６を押して録音をする時間は、最長時間でも２０秒の音声録音時間があれば良く、５秒から１０秒の録音時間が最適である。録音時間を短くしているのは文言を短くすればするほど使用者には理解しやすくなるとともに、余分な部材はできるだけ無くして音声録音再生機能付カード１を薄く小さくするためである。【００３４】  また本発明の、音声録音再生機能付カード１を薄いカード型に形成した大きさは、縦幅は８６ｍｍ以下で良く横幅は５５ｍｍ以下としたほうが良くて、煙草の箱の外部包装１１と外部包装体１２に収まり易く安定して良い。カードの厚みの幅は３ｍｍ以下であれば良いが２ｍｍ以下が適しているのである。【００３５】  また、保持具１７及びカード保持具２１及び蓋支持部材１３及び開閉する蓋１４の材料としては、平板の紙や平板状のプラスチック又は平板状の金属板で形成しても良いが、針金のような金属線材又は金属帯材のような金属素材を用いたほうが特に好ましく安価である。【００３６】  なお本発明に使用する録音操作部材及び再生操作部材は、公知のプッシュスイッチとすることができるが、他にスライドスイッチやトグルスイッチ又は薄型で横押しのタクティールスイッチなど多種類のスイッチがあるが、どのような種類のスイッチをどのように用いるかは任意である。【００３７】  以上、図面を参照してこの発明の実施形態を説明したが、この発明は図示した実施形態のものに限定されない。図示した実施形態に対して、この発明と同一の範囲内において、あるいは均等の範囲内において、種々の修正や変形を加えることが可能である。
【産業上の利用可能性】
【００３８】  近年では医者に掛かっても禁煙を望む人が多くなってきたが、長年煙草を吸ってきた人には禁煙は簡単なことではない。そこで本発明品によれば、この世の中で１番大切な人や１番好きな人や１番愛している人からの声を聞かせて、精神面を動かして禁煙も可能となり健康面も良くなり、環境問題にも貢献することができるのである。
【図面の簡単な説明】
【００３９】
【図１】  本発明に係る音声録音再生機能付カード１の、主要部の内部構成を概略的に示すブロック図で音声録音再生機能モジュール８である。
【図２】  本発明に係る第一実施形態の、再生スイッチ７を音声録音再生機能付カード１の上部に設けたところを示す斜視図である。
【図３】  本発明に係る第二実施形態の、開閉できる蓋１４を音声録音再生機能付カード１の上部に設けたところを示す斜視図である。
【図４】  本発明に係る第三実施形態の、保持具１７を音声録音再生機能付カード１に設けたところの斜視図である。
【図５】  本発明に係る第三実施形態の、保持具１７を設けた音声録音再生機能付カード１にソフトパック煙草９の箱を取り付けたところの斜視図である。
【図６】  本発明に係る第四実施形態の、光センサ２２をコード２３により音声録音再生機能付カード１に設けたところの斜視図である。
【図７】  本発明に係る第五実施形態の、音声録音再生機能付カード１に沿って形成されたカード保持具２１を音声録音再生機能付カード１に設けたところを示す斜視図である。
【符号の説明】
【００４０】１  音声録音再生機能付カード
２  録音再生機能部
３  マイクロホン
４  スピーカ
５  電源電池
６  録音スイッチ
７  再生スイッチ
８  音声録音再生機能モジュール
９  ソフトパック煙草
１０  煙草
１１  外部包装
１２  外部包装体
１３  蓋支持部材
１４  開閉できる蓋
１５  凸部
１６  接続部
１７  保持具
１８  補強材
１９  係合部
２０  係合相手部
２１  カード保持具
２２  光センサ
２３  コード
２４  保持具の先端
２５  蓋の補強材
２６  粘着テープ
【図１】
2010061630.tif 000003
【図２】
2010061630.tif 000004
【図３】
2010061630.tif 000005
【図４】
2010061630.tif 000006
【図５】
2010061630.tif 000007
【図６】
2010061630.tif 000008
【図７】
2010061630.tif 000009